(57)【要約】【課題】作業員の立入空間を作業空間から仕切る遮蔽膜に多くの作業用袋状膜を取り付けておくことなく、作業用袋状膜を介して作業空間における各種の作業を効率良く行うことのできる遮蔽された作業空間での作業方法を提供する。【解決手段】作業員が立入る立入空間１３を除去作業空間１２から仕切る遮蔽膜１１に形成した作業用開口１４を覆って作業用袋状膜１５を取り付けておき、この作業用袋状膜１５を作業用開口１４を介して除去作業空間１２側に押し出して、立入空間１３側から除去作業空間１２での作業を行う作業方法であって、作業用開口１４を、スライド方向Ｘの前方側に連続して延設する開口部分を形成すると共に、スライド方向Ｘの後方側の端部の開口部分を閉塞することで遮蔽膜１１に沿ってスライド移動させて、作業用袋状膜１５を介して除去作業空間１２における作業を行う。【選択図】図１
2010156190.tif 000002
【特許請求の範囲】
【請求項１】
作業員が立入る立入空間を作業空間から仕切る遮蔽膜に形成した作業用開口を覆って作業用袋状膜を取り付けておき、該作業用袋状膜を前記作業用開口を介して前記作業空間側に押し出して、前記遮蔽膜を挟んだ前記立入空間側から前記作業空間における作業を行う遮蔽された作業空間での作業方法であって、
前記作業用開口を、スライド方向前方側に連続して延設する開口部分を形成すると共に、これに伴ってスライド方向後方側の端部の開口部分を閉塞することで前記遮蔽膜に沿ってスライド移動させて、前記作業用袋状膜を介して前記作業空間における作業を行う遮蔽された作業空間での作業方法。
【請求項２】
前記作業空間が、有害物質の除去作業空間である請求項１記載の遮蔽された作業空間での作業方法。
【請求項３】
請求項１又は請求項２に記載の遮蔽された作業空間での作業方法において使用する、前記作業用開口を前記遮蔽膜に沿ってスライド移動させる作業用開口のスライド移動構造であって、
前記作業用開口の開口周縁部に前記作業用袋状膜の基端開口を接続する開口枠部材と、前記作業用開口の前記遮蔽膜に沿ったスライド方向前方側の端部に設けられた開口形成手段と、前記作業用開口の前記遮蔽膜に沿ったスライド方向後方側の端部に設けられた開口閉塞手段とを含んで構成されており、
前記開口形成手段により前記作業用開口のスライド方向前方側に連続して延設する開口部分を形成すると共に、これに伴って前記開口閉塞手段により前記作業用開口のスライド方向後方側の端部の開口部分を閉塞することで前記作業用開口及び前記開口枠部材を前記遮蔽膜に沿ってスライド移動させる作業用開口のスライド移動構造。
【請求項４】
前記遮蔽膜には、前記作業用開口をスライド移動させて作業を行う領域に亘って、相互に噛合可能な第１噛合レール部と第２噛合レール部とからなる遮蔽膜噛合レール部材が取り付けられており、
該遮蔽膜噛合レール部材には、当該遮蔽膜噛合レール部材の噛合を開閉可能な第１噛合レール開閉治具及び第２噛合レール開閉治具が、開放側を対向配置させて設けられていることにより、前記第１噛合レール開閉治具と前記第２噛合レール開閉治具との間の部分で遮蔽膜噛合レール部材が開放されて前記作業用開口を形成可能となっており、
前記開口枠部材は、前記第１噛合レール開閉治具と前記第２噛合レール開閉治具との間の部分に配置される、前記第１噛合レール部と噛合可能な開口枠第１噛合レール部を備える第１枠部材と、前記第２噛合レール部と噛合可能な開口枠第２噛合レール部を備える第２枠部材とからなり、
前記第１噛合レール開閉治具と前記第２噛合レール開閉治具のいずれか一方を前記開口形成手段として、前記作業用開口のスライド方向前方側に連続して延設する開口部分を形成すると共に、いずれか他方を前記開口閉塞手段として、前記作業用開口のスライド方向後方側の端部の開口部分を閉塞するようになっており、
且つ前記第１噛合レール開閉治具や前記第２噛合レール開閉治具の前記遮蔽膜噛合レール部材に沿ったスライド移動に伴って、前記第１噛合レール部や前記第２噛合レール部に噛合した前記開口枠部材の前記第１枠部材や前記第２枠部材を、前記遮蔽膜噛合レール部材に沿って移動させることにより、前記作業用開口及び前記開口枠部材を前記遮蔽膜に沿ってスライド移動させる請求項３記載の作業用開口のスライド移動構造。
【請求項５】
前記遮蔽膜噛合レール部材は、前記遮蔽膜に気密に密着可能な密着接合手段を介して、前記遮蔽膜に別部材として一体接合されている請求項４記載の作業用開口のスライド移動構造。
【発明の詳細な説明】
【技術分野】
【０００１】
本発明は、遮蔽された作業空間での作業方法及び作業用開口のスライド移動構造に関し、特に、作業員の立入空間から遮蔽膜によって仕切られた作業空間での作業を行えるようにした、遮蔽された作業空間での作業方法、及び該作業方法において使用する作業用開口のスライド移動構造に関する。
【背景技術】
【０００２】
例えば、アスベストやダイオキシン等の有害物質を除去したり取り扱ったりする場合、これらの有害物質の拡散を防止すると共に、作業者が有害物質の影響を受けないようにする必要がある。このため、有害物質の飛散を防止したり作業者を防護したりするための資器材や製品が種々開発されており、また管理手法の改善が図られている。
【０００３】
アスベストやダイオキシン等の有害物質を除去したり取り扱ったりする作業では、例えば有害物質が付着した既存物を気密な被膜で覆って汚染防止処理を行った後に、外部への飛散防止のために作業空間をシート状の遮蔽膜を用いて遮蔽し、さらに高性能のフィルターを装着した送風機で内部の空気を排出して、作業空間の内部を負圧状態とし、作業者は、有害物質の飛散する遮蔽された作業空間の内部において、防護服や呼吸用器機を着用して作業を行うようにする方法が実施されている（例えば、特許文献１参照）。
【０００４】
しかしながら、有害物質で汚染された作業空間の内部に作業者が立ち入って除去作業等を行う場合、作業者は、防護服や呼吸用器機を着用した場合でも、呼吸に伴って有害物質を吸引する危険に常に曝されることになる。また、作業員が作業空間に出入りする際や、資器材や物品を作業空間に搬出入する際には、更衣室や空気シャワー室等の中間室を経由することになっているが、これらの中間室を負圧状態に維持するための構造やシステムが確立されていないため、外部への有害物質の飛散を十分に防止できないおそれがある。さらに、作業空間の内部で一度でも使用された防護服や呼吸用器機等は、汚染されたものとしてその全てを管理型処分場に廃棄する必要があるため、防護服や呼吸用器機等の費用や廃棄処分費用が嵩むことになる。
【０００５】
これらの問題を解決する方法として、有害物質を取り扱う作業空間の全体を気密なシート状の遮蔽膜で包み込み、包み込んだ遮蔽膜の一部を透明にして有害物質を取り扱う作業空間を可視化すると共に、包み込んだ遮蔽膜に作業用の手袋を取り付け、この作業用の手袋を介して、有害物質を取り扱う作業空間の外部から作業空間での作業を行えるようにした、いわゆるグローブバッグ方式による作業方法が実施されている（例えば、非特許文献１参照）。このグローブバッグ方式による作業方法を用いることにより、有害物質が飛散する範囲を効果的に遮蔽でき、また作業者が有害物質に汚染された作業空間に入ることなく作業を行えるので、高い安全性を確保することが可能になると共に、汚染防止対策のために使用する遮蔽膜や防護服等を少量に留めることが可能になる。
【先行技術文献】
【特許文献】
【０００６】
【特許文献１】特開平９−２７９８６１号公報
【非特許文献】
【０００７】
【非特許文献１】建設業労働災害防止協会企画開発課（発行）「建築物の解体・改修工事における石綿障害の予防（特別教育用テキスト）」、発行日：平成１７年５月３０日
【発明の概要】
【発明が解決しようとする課題】
【０００８】
しかしながら、非特許文献１に記載のグローブバッグ方式による作業方法では、遮蔽膜に対して作業用の手袋が固定された状態となっているので、作業用の手袋を介して作業空間の内部で作業が可能な領域は、作業者の腕が届く範囲に限られることになる。したがって、例えば広範囲に亘る作業空間の内部において有害物質を除去等する作業を行う場合には、作業用の手袋等の作業用袋状膜を、作業を行う領域に分散配置して予め遮蔽膜に多数取り付けておく必要があるため、却って手間が掛かることになる。
【０００９】
また、アスベストやダイオキシン等の有害物質を除去等する場合の他、例えば無菌室等の、遮蔽膜によって外部と遮蔽されたその他の種々の作業空間において作業を行う場合にも、作業用の手袋等の作業用袋状膜を介して効率良く作業を行うことができれば便利である。
【００１０】
本発明は、このような従来の技術的課題を鑑みてなされたものであり、作業員が立入る立入空間を作業空間から仕切る遮蔽膜に多くの作業用袋状膜を取り付けておくことなく、作業用袋状膜を介して作業空間における各種の作業を効率良く行うことのできる遮蔽された作業空間での作業方法及び作業用開口のスライド移動構造を提供することを目的とする。
【課題を解決するための手段】
【００１１】
本発明は、作業員が立入る立入空間を作業空間から仕切る遮蔽膜に形成した作業用開口を覆って作業用袋状膜を取り付けておき、該作業用袋状膜を前記作業用開口を介して前記作業空間側に押し出して、前記遮蔽膜を挟んだ前記立入空間側から前記作業空間における作業を行う遮蔽された作業空間での作業方法であって、前記作業用開口を、スライド方向前方側に連続して延設する開口部分を形成すると共に、これに伴ってスライド方向後方側の端部の開口部分を閉塞することで前記遮蔽膜に沿ってスライド移動させて、前記作業用袋状膜を介して前記作業空間における作業を行う遮蔽された作業空間での作業方法を提供することにより、上記目的を達成したものである。
【００１２】
そして、本発明の遮蔽された作業空間での作業方法は、前記作業空間が、有害物質の除去作業空間であることが好ましい。
【００１３】
また、本発明は、上記遮蔽された作業空間での作業方法において使用する、前記作業用開口を前記遮蔽膜に沿ってスライド移動させる作業用開口のスライド移動構造であって、前記作業用開口の開口周縁部に前記作業用袋状膜の基端開口を接続する開口枠部材と、前記作業用開口の前記遮蔽膜に沿ったスライド方向前方側の端部に設けられた開口形成手段と、前記作業用開口の前記遮蔽膜に沿ったスライド方向後方側の端部に設けられた開口閉塞手段とを含んで構成されており、前記開口形成手段により前記作業用開口のスライド方向前方側に連続して延設する開口部分を形成すると共に、これに伴って前記開口閉塞手段により前記作業用開口のスライド方向後方側の端部の開口部分を閉塞することで前記作業用開口及び前記開口枠部材を前記遮蔽膜に沿ってスライド移動させる作業用開口のスライド移動構造を提供することにより、上記目的を達成したものである。
【００１４】
そして、本発明の作業用開口のスライド移動構造は、前記遮蔽膜には、前記作業用開口をスライド移動させて作業を行う領域に亘って、相互に噛合可能な第１噛合レール部と第２噛合レール部とからなる遮蔽膜噛合レール部材が取り付けられており、該遮蔽膜噛合レール部材には、当該遮蔽膜噛合レール部材の噛合を開閉可能な第１噛合レール開閉治具及び第２噛合レール開閉治具が、開放側を対向配置させて設けられていることにより、前記第１噛合レール開閉治具と前記第２噛合レール開閉治具との間の部分で遮蔽膜噛合レール部材が開放されて前記作業用開口を形成可能となっており、前記開口枠部材は、前記第１噛合レール開閉治具と前記第２噛合レール開閉治具との間の部分に配置される、前記第１噛合レール部と噛合可能な開口枠第１噛合レール部を備える第１枠部材と、前記第２噛合レール部と噛合可能な開口枠第２噛合レール部を備える第２枠部材とからなり、前記第１噛合レール開閉治具と前記第２噛合レール開閉治具のいずれか一方を前記開口形成手段として、前記作業用開口のスライド方向前方側に連続して延設する開口部分を形成すると共に、いずれか他方を前記開口閉塞手段として、前記作業用開口のスライド方向後方側の端部の開口部分を閉塞するようになっており、且つ前記第１噛合レール開閉治具や前記第２噛合レール開閉治具の前記遮蔽膜噛合レール部材に沿ったスライド移動に伴って、前記第１噛合レール部や前記第２噛合レール部と噛合する前記開口枠部材の前記第１枠部材や前記第２枠部材を、前記遮蔽膜噛合レール部材に沿って移動させることにより、前記作業用開口及び前記開口枠部材を前記遮蔽膜に沿ってスライド移動させるようになっていることが好ましい。
【００１５】
また、本発明の作業用開口のスライド移動構造は、前記遮蔽膜噛合レール部材が、前記遮蔽膜に気密に密着可能な密着接合手段を介して、前記遮蔽膜に別部材として一体接合されていることが好ましい。
【発明の効果】
【００１６】
本発明の遮蔽された作業空間での作業方法、又は作業用開口のスライド移動構造によれば、作業員が立入る立入空間を作業空間から仕切る遮蔽膜に多くの作業用袋状膜を取り付けておくことなく、作業用袋状膜を介して作業空間における各種の作業を効率良く行うことができる。
【図面の簡単な説明】
【００１７】
【図１】本発明の好ましい一実施形態に係る遮蔽された作業空間での作業方法及び作業用開口のスライド移動構造を説明する一部破断透視略示斜視図である。
【図２】本発明の好ましい一実施形態に係る遮蔽された作業空間での作業方法及び作業用開口のスライド移動構造を説明する略示部分正面図である。
【図３】遮蔽膜噛合レール部材に沿って第１噛合レール開閉治具及び第２噛合レール開閉治具と共に開口枠部材をスライド移動させる状況を説明する略示正面図である。
【図４】（ａ）は遮蔽膜噛合レール部材の第１噛合レール部と第２噛合レール部が噛合した状態を説明する断面図、（ｂ）は遮蔽膜噛合レール部材の第１噛合レール部と第２噛合レール部の噛合が開放された状態を説明する断面図である。
【図５】（ａ）は開口枠部材の略示正面図、（ｂ）は開口枠部材に作業用袋状膜を取り付けた状態を説明する略示断面図である。
【図６】遮蔽膜噛合レール部材の第１噛合レール部及び第２噛合レール部と、開口枠部材の第１枠部材の開口枠第１噛合レール部及び第２枠部材の開口枠第２噛合レール部とを噛合させた状態を説明する、図３のＡ−Ａに沿った略示断面図である。
【図７】（ａ）は噛合レール部の他の形態を例示する略示正面図、（ｂ）は（ａ）のＢ−Ｂに沿った略示断面図である。
【図８】噛合レール開閉治具の具体的構成を例示する断面図である。
【図９】（ａ）、（ｂ）は、本発明の好ましい他の実施形態に係る作業用開口のスライド移動構造を説明する略示断面図である。
【図１０】本発明の好ましい他の実施形態に係る作業用開口のスライド移動構造において、噛合レール開閉治具及び作業用袋状膜が取り付けられた開口枠部材を遮蔽幕に導入する状態を説明する図９（ａ）のＣ−Ｃに沿った略示縦断面図である。
【図１１】作業空間を遮蔽する遮蔽膜の任意の位置を選定して取り付けた複数の作業用袋状膜を介して作業空間における作業を行う状況を説明する概念図である。
【図１２】（ａ）〜（ｃ）は、遮蔽膜噛合レール部材の他の形態を例示する略示断面図である。
【発明を実施するための最良の形態】
【００１８】
本発明の好ましい一実施形態に係る遮蔽された作業空間での作業方法及び作業用開口のスライド移動構造は、図１に示すように、例えば建物の屋内における壁２０と天井２１との接合角部分の構成材料として、これらの隅角部に付着したまま残った有害物質である吹付けアスベスト１０を、遮蔽膜１１によって外部から遮蔽された除去作業空間１２において、作業員が当該除去作業空間１２に立ち入ることなく、且つ除去作業空間１２の外部の空間に飛散させることなく、効率良く除去できるようにするための方法や構造として採用されたものである。
【００１９】
ここで、本実施形態では、除去作業空間１２は、例えば気密性及び可撓性を有する好ましくは透明な合成樹脂製のシート状部材からなる遮蔽膜１１を、支持材としてのロープ固定用支柱２２や、同じく支持材としての遮蔽膜展張用ロープ２３等を介して、屋内における壁２０と天井２１との接合角部分に沿って展設すると共に、遮蔽膜１１の側縁部を粘着剤や接着剤等を介して接合角部分の壁２０の壁面や天井２１の壁面に気密な状態で密着接合することにより、例えば接合角部分に沿って連続する矩形の中空断面形状を有する作業空間として、これの外部の作業員が立ち入ることが可能な立入空間１３とは気密に遮蔽された状態で設けられている。
【００２０】
また、本実施形態では、除去作業空間１２を形成する遮蔽膜１１には、除去作業空間１２の正面側の部分に、作業用袋状膜１５（図２参照）が取り付けられる作業用開口１４が２箇所に開口形成されており、これらの作業用開口１４は、各々、壁２０と天井２１との接合角部分に沿った長手方向をスライド方向Ｘとして、当該スライド方向Ｘにスライド移動可能となっている。
【００２１】
さらに、本実施形態では、除去作業空間１２は、これの長手方向の一端部において遮蔽膜１１に開口形成された排気穴２４及び排気ホ−ス２５を介して、高性能フィルターを備えるフイルター付吸引機２６と接続しており、このフイルター付吸引機２６を駆動制御することによって、有害物質である吹付けアスベスト１０が外部に飛散しないように、除去作業空間１２の内部を負圧状態に保持することができるようになっている。また長手方向の他端部における遮蔽膜１１にはフィルター付吸気口２７が設けられていて、除去作業空間１２の内部が過度に負圧になることで遮蔽膜１１や、ロープ固定用支柱２２、遮蔽膜展張用ロープ２３等が破損しないようにする工夫がなされている。
【００２２】
そして、本実施形態の遮蔽された作業空間での作業方法は、図２にも示すように、作業員が立入る立入空間１３を除去作業空間１２から仕切る遮蔽膜１１に形成した作業用開口１４を覆って作業用袋状膜１５を取り付けておき、この作業用袋状膜１５を作業用開口１４を介して除去作業空間１２側に押し出して、遮蔽膜１１を挟んだ立入空間１３側から除去作業空間１２における作業を行う作業方法であって、作業用開口１４を、作業用袋状膜１５によって覆われた状態を保持したまま、スライド方向Ｘの前方側に連続して延設する開口部分を形成すると共に、これに伴ってスライド方向Ｘの後方側の端部の開口部分を閉塞することで遮蔽膜１１に沿ってスライド移動させて、作業用袋状膜１５を介して除去作業空間１２における作業を行うようになっている。
【００２３】
また、本実施形態の作業用開口のスライド移動構造は、上述の除去作業空間１２での作業方法において使用する、作業用開口１４を作業用袋状膜１５によって覆われた状態を保持したまま遮蔽膜１１に沿ってスライド移動させるための構造であって、図３にも示すように、作業用開口１４の開口周縁部に作業用袋状膜１５の基端開口１９を接続する開口枠部材１６と、作業用開口１４の遮蔽膜１１に沿ったスライド方向Ｘの前方側の端部に設けられられた開口形成手段１７と、作業用開口１４の遮蔽膜１１に沿ったスライド方向Ｘの後方側の端部に設けられられた開口閉塞手段１８とを含んで構成されており、開口形成手段１７により作業用開口１４のスライド方向Ｘの前方側に連続して延設する開口部分を形成すると共に、これに伴って開口閉塞手段１８により作業用開口１４のスライド方向Ｘの後方側の端部の開口部分を閉塞することで、作業用開口１４及び開口枠部材１６を遮蔽膜１１に沿ってスライド移動させるようになっている。
【００２４】
なお、本実施形態では、開口形成手段１７と開口閉塞手段１８は、各々、遮蔽膜１１を分離して開口を形成する機能と、分離された開口の周縁部を互いに接合して閉塞する機能とを併せ持つようになっており、スライド方向Ｘの一方に環状開口枠１６を移動する際には、当該一方の側に配置されたものが開口形成手段１７として機能し、これと反対側に配置されたものが開口閉塞手段１８として機能すると共に、スライド方向Ｘの他方に環状開口枠１６を移動する際には、当該他方の側に配置されたものが開口形成手段１７として機能し、これと反対側に配置されたものが開口閉塞手段１８として機能するようになっている。
【００２５】
また、本実施形態では、作業用袋状膜１５は、遮蔽膜１１と同様の材質の、例えば気密性及び可撓性を有する好ましくは透明な合成樹脂製のシート状部材からなり、図２では概略図として記載さているが、例えば手袋形状、人の上半身を覆う形状等、除去作業空間１２での作業形態に応じた種々の形状となるように形成されている。また作業用袋状膜１５は、開口枠部材１６に開口周縁部が接合される基端開口１９を備えており、作業用開口１４の形状と合致させることが可能な当該基端開口１９の部分を除いて、その内部の全体に気密な閉塞空間が形成されるようになっている。
【００２６】
作業用袋状膜１５は、公知の各種の接合手段を介して基端開口１９の開口周縁部を開口枠部材１６に気密に接合することで（図５（ｂ）参照）、当該開口枠部材１６を介して作業用開口１４の開口周縁部に接続されると共に（図６参照）、例えば立入空間１３側から作業用開口１４を覆って取り付けられることになる。さらに、作業用袋状膜１５は、立入空間１３側から裏返しに反転させつつ作業用開口１４を介して除去作業空間１２側に押し出されることにより、除去作業空間１２の内部に突出して、当該除去作業空間１２とは気密に遮蔽された防護空間を形成することになる（図２参照）。この防護空間に手や腕や体の一部を挿入して、遮蔽膜１１を挟んだ立入空間１３側から除去作業空間１２における吹付けアスベスト１０の除去作業を行うことができるようになっている。
【００２７】
そして、本実施形態では、開口形成手段１７によって作業用開口１４のスライド方向Ｘの前方側に延設する開口を連続して新たに形成してゆくと共に、これに伴って作業用開口１４のスライド方向Ｘの後方側の端部の開口を開口閉塞手段１８によって閉塞してゆくことにより、作業用開口１４及び開口枠部材１６を遮蔽膜１１に沿ってスライド移動させてゆく。このような作業用開口１４及び開口枠部材１６の遮蔽膜１１に沿ったスライド移動を可能にする具体的な構成として、例えば図３及び図４（ａ），（ｂ）に示すように、遮蔽膜１１には、作業用開口１４をスライド移動させて作業を行う領域に亘って、相互に噛合可能な第１噛合レール部２８と第２噛合レール部２９とからなる遮蔽膜噛合レール部材３０が取り付けられている。
【００２８】
また、遮蔽膜噛合レール部材３０には、図３に示すように、当該遮蔽膜噛合レール部材３０の噛合を開閉可能な第１噛合レール開閉治具３３及び第２噛合レール開閉治具３４が、開放側を対向配置させて設けられている。これによって、第１噛合レール開閉治具３３と第２噛合レール開閉治具３４との間の部分において、遮蔽膜噛合レール部材３０の第１噛合レール部２８と第２噛合レール部２９との噛合が開放されて作業用開口１４を形成することができるようになっている（図４（ｂ）参照）。
【００２９】
さらに、本実施形態では、開口枠部材１６は、図３及び図５（ａ），（ｂ）に示すように、第１噛合レール開閉治具３３と第２噛合レール開閉治具３４との間の部分に配置される、遮蔽膜噛合レール部材３０の第１噛合レール部２８と噛合可能な開口枠第１噛合レール部３１を備える第１枠部材１６ａと、遮蔽膜噛合レール部材３０の第２噛合レール部２９と噛合可能な開口枠第２噛合レール部３２を備える第２枠部材１６ｂとからなっている。
【００３０】
そして、第１噛合レール開閉治具３３と第２噛合レール開閉治具３４のいずれか一方を開口形成手段１７として、作業用開口１４のスライド移動に伴ってこれのスライド方向Ｘの前方側に連続して延設する開口部分を、遮蔽膜噛合レール部材３０の第１噛合レール部２８と第２噛合レール部２９との噛合を開放しながら形成すると共に、いずれか他方を開口閉塞手段１８として、作業用開口１４のスライド方向Ｘの後方側の端部の開口部分を、遮蔽膜噛合レール部材３０の第１噛合レール部２８と第２噛合レール部２９とを噛合しながら閉塞するようになっている。
【００３１】
また、第１噛合レール開閉治具３３や第２噛合レール開閉治具３４の遮蔽膜噛合レール部材３０に沿ったスライド移動に伴って、第１噛合レール部２８や第２噛合レール部２９に開口枠第１噛合レール部３１や開口枠第２噛合レール部３２を介して噛合した開口枠部材１６の第１枠部材１６ａや第２枠部材１６ｂを、遮蔽膜噛合レール部材３０に沿って移動させることにより、作業用開口１４及び開口枠部材１６を遮蔽膜１１に沿ってスライド移動させるようになっている。
【００３２】
ここで、遮蔽膜噛合レール部材３０の第１噛合レール部２８及び第２噛合レール部２９や、開口枠部材１６の開口枠第１噛合レール部３１及び開口枠第２噛合レール部３２を構成する噛合レールとしては、公知の各種の噛合レールを用いて形成することができるが、具体的には、例えば「レールファスナー」を用いることが好ましい。「レールファスナー」を噛合レールとして用いることにより、第１噛合レール部２８と第２噛合レール部２９の噛合による接合部や、第１噛合レール部２８と開口枠第１噛合レール部３１、及び第２噛合レール部２９と開口枠第２噛合レール部３２による接合部を、気密な状態で形成することが可能になる。これによって、特に除去作業空間１２の内部を負圧状態に保持しておかなくても、有害物質である吹付けアスベスト１０が除去作業空間１２から立入空間１３側に漏れ出るのを効果的に回避することが可能になる。なお、第１噛合レール部２８や第２噛合レール部２９を構成する噛合レールとしては、図７（ａ），（ｂ）に示すように、例えば務歯を有する「ファスナー」を用いることもできる。この場合、第１枠部材１６ａや第２枠部材１６ｂを兼ねる開口枠第１噛合レール部３１や開口枠第２噛合レール部３２を構成する部材として、作業用開口１４側から第１噛合レール部２８や第２噛合レール部２９の務歯の長さ方向の全体をスライド可能に噛合する断面Ｃ字形状の細長の開口枠第１噛合レール部３１や開口枠第２噛合レール部３２を用いることができる（図７（ａ）では開口枠第１噛合レール部３１を省略して表示している。）。
【００３３】
また、第１噛合レール開閉治具３３や第２噛合レール開閉治具３４としては、公知の各種の噛合レール開閉治具を用いることができる。具体的には、例えば図８に示すように、中間クサビ部４０が設けられていることにより、中間部分で合流部分から枝分れ部分に枝分れする案内通路４１を、内部に備える開閉治具を使用することができる。図８に示す噛合レール開閉治具３３，３４では、例えば図８の左側に噛合レール開閉治具３３，３４をスライド移動させた際に、移動方向前方側で噛合していた第１噛合レール部２８及び第２噛合レール部２９の噛合状態を中間クサビ部４０によって開放して、案内通路４１の枝分れ部分に送り出すことにより、移動方向後方側に開口部を形成できるようになっている。また図８の右側に噛合レール開閉治具３３，３４をスライド移動させた際に、移動方向前方側で開放していた第１噛合レール部２８及び第２噛合レール部２９を、中間クサビ部４０の後方の合流部分に送り出すことで噛合させることにより、移動方向後方側の端部の開口部を閉塞できるようになっている。
【００３４】
そして、上述の構成を備える本実施形態の遮蔽された作業空間での作業方法及び作業用開口のスライド移動構造によれば、除去作業空間１３と外部の立入空間１２とを仕切る遮蔽膜１１に多くの作業用袋状膜１５を予め取り付けておくことなく、作業用袋状膜１５を介して除去作業空間１３における吹付けアスベスト１０の除去作業を効率良く行うことが可能になる。
【００３５】
すなわち、本実施形態によれば、作業用開口１４の両端部に設けられた第１噛合レール開閉治具３３や第２噛合レール開閉治具３４を、除去作業空間１３の略全域に亘って遮蔽膜１１に取り付けられた遮蔽膜噛合レール部材３０に沿ってスライド移動させることで、作業用開口１４及び開口枠部材１６を遮蔽膜１１に沿ってスライド移動させながら、作業用袋状膜１５を介して除去作業空間１３における吹付けアスベスト１０の除去作業を行うことができるようになっているので、１又は少数の作業用袋状膜１５を開口枠部材１６を介して遮蔽膜１１に取り付けておくだけで、これらの作業用袋状膜１５を適宜移動させつつ、効率良く吹付けアスベスト１０の除去作業を行うことが可能になる。
【００３６】
図９（ａ），（ｂ）は、本発明の好ましい他の実施形態に係る作業用開口のスライド移動構造を示すものである。図９（ａ），（ｂ）に示す他の実施形態では、遮蔽膜噛合レール部材３０は、遮蔽膜１１に気密に密着可能な密着接合手段として、例えば帯状膜３５及び密着接着剤３６を介することにより、遮蔽膜１１に別部材として後付けで一体接合されている。すなわち、本他の実施形態では、例えば有害物質１０の除去作業空間１２を遮蔽するようにして予め取り付けられた遮蔽膜１１に対して、任意の作業位置や作業領域を選択して、遮蔽膜噛合レール部材３０を後から取り付け、このようにして後付けされた遮蔽膜噛合レール部材３０に沿って第１噛合レール開閉治具３３や第２噛合レール開閉治具３４を移動させて、作業用袋状膜１５が取り付けられた開口枠部材１６をスライド移動させることにより、作業用開口１４を遮蔽膜１１に沿ってスライド移動させることができるようになっている。なお、遮蔽膜噛合レール部材３０は、除去作業空間１２を遮蔽して遮蔽膜１１を取り付ける前に、当該遮蔽膜１１に別部材として前もって取り付けておくこともできる。
【００３７】
ここで、本他の実施形態では、帯状膜３５は、遮蔽膜１１や作業用袋状膜１５と同様の材質の、例えば気密性及び可撓性を有する好ましくは透明な合成樹脂製のシート状部材からなり、その一方の縁部に沿って遮蔽膜噛合レール部材３０の第１噛合レール部２８や第２噛合レール部２９が気密に接合されると共に、他方の縁部の裏面に沿って密着接着剤３６が取り付けられている。この密着接着剤３６を介して、第１噛合レール部２８や第２噛合レール部２９が各々接合された一対の帯状膜３５が、後に形成される作業用開口１４を挟んだ両側の遮蔽膜１１に気密に密着接合されることになる。
【００３８】
また、本他の実施形態では、図１０に示すように、例えば遮蔽膜噛合レール部材３０の第１噛合レール部２８や第２噛合レール部２９は、帯状膜３５よりもさらに両側に延設して設けられている。第１噛合レール開閉治具３３や第２噛合レール開閉治具３４を、作業用袋状膜１５が接合された開口枠部材１６と共に、これらの遮蔽膜噛合レール部材３０の延設部分３０ａに取り付けた後に、当該延設部分３０ａを介してスライド移動させることにより、任意の作業位置や作業領域に設けられた遮蔽膜噛合レール部材３０まで、第１噛合レール開閉治具３３や第２噛合レール開閉治具３４を開口枠部材１６と共に導入させることができるようになっている。
【００３９】
さらに、本他の実施形態では、例えば作業用開口１４のスライド方向Ｘの前方側に配置された第１噛合レール開閉治具３３や第２噛合レール開閉治具３４には、遮蔽膜１１を切断するカッター（図示せず）を設けておくことができる。第１噛合レール開閉治具３３や第２噛合レール開閉治具３４の遮蔽膜噛合レール部材３０に沿ったスライド移動に伴って、遮蔽膜１１をカッターによって切断することにより、作業用袋状膜１５を立入空間１２側から除去作業空間１２に押し出すための作業用開口１４を開口枠部材１６の内側に開口させるための切込み３７（図９（ａ），（ｂ）参）が、先行して設置された遮蔽膜１１に形成されることになる。
【００４０】
本他の実施形態によっても、上述の実施形態と同様の作用効果が奏されると共に、遮蔽膜１１によって除去作業空間１２を遮蔽するのに先立って、予め遮蔽膜１１の所定に箇所に遮蔽膜噛合レール部材３０や噛合レール開閉治具３３，３４、開口枠部材１６等を取り付けておく必要がないので、さらに効率良く作業を行うことが可能になる。また、先行して設置された遮蔽膜１１の任意の箇所を選定して、後から遮蔽膜噛合レール部材３０や噛合レール開閉治具３３，３４、開口枠部材１６等を取り付けることができるので、作業の自由度を増すことが可能になる。
【００４１】
これらによって、図１１に概念図として示すように、遮蔽膜１１によって遮蔽された除去作業空間１２に対して、作業に適した任意の１又は複数箇所の作業位置や作業領域を選択して、遮蔽膜噛合レール部材３０や噛合レール開閉治具３３，３４、開口枠部材１６等を取り付けることにより、有害物質の除去作業を効率良く行うことが可能になると共に、複数取り付けた作業用袋状膜１５の一部を除去作業空間１２への例えば資機材の出入れ用の袋３８として使用して、資機材の搬入及び搬出や、除去した吹付けアスベスト１０の搬出等を行うことも可能になる。
【００４２】
なお、本発明は上記各実施形態に限定されることなく種々の変更が可能である。例えば、本発明の遮蔽された作業空間での作業方法や作業用開口のスライド移動構造は、アスベストやダイオキシン等の有害物質を除去等する場合の他、例えば病院や研究施設等における無菌室等の、遮蔽膜によって外部と遮蔽されたその他の種々の作業空間において作業を行う場合にも採用することが可能である。また、作業用開口のスライド方向前方側に連続して延設する開口部分を形成する開口形成手段や、作業用開口のスライド方向後方側の端部の開口部分を閉塞する開口閉塞手段は、上述の第１噛合レール開閉治具や第２噛合レール開閉治具である必要は必ずしもなく、作業用開口を遮蔽膜に沿ってスライド移動させる手段は、上述の遮蔽膜噛合レール部材と、噛合レール開閉治具と、開口枠部材とからなるものである必要は必ずしもない。例えば、作業用開口のスライド方向前方側の端部にカッター等による切断装置を設けると共に、作業用開口のスライド方向後方側の端部に溶接等による接合装置を設けて、スライド方向前方側に連続して延設する開口部分を形成すると共に、これに伴ってスライド方向後方側の端部の開口を閉塞することで、作業用開口を遮蔽膜に沿ってスライド移動させるようにすることも可能である。
【００４３】
さらに、図１２（ａ）〜（ｃ）に示すように、遮蔽膜噛合レール部材３０を構成する第１噛合レール部２８や第２噛合レール部２９は、遮蔽膜１１に沿った方向に配置されるものであっても良い。
【符号の説明】
【００４４】
１０  吹付けアスベスト（有害物質）
１１  遮蔽膜
１２  除去作業空間（作業空間）
１３  立入空間
１４  作業用開口
１５  作業用袋状膜
１６  開口枠部材
１６ａ  開口枠部材の第１枠部材
１６ｂ  開口枠部材の第２枠部材
１７  開口形成手段
１８  開口閉塞手段
１９  作業用袋状膜の基端開口
２８  第１噛合レール部
２９  第２噛合レール部
３０  遮蔽膜噛合レール部材
３０ａ  遮蔽膜噛合レール部材の延設部分
３１  開口枠第１噛合レール部
３２  開口枠第２噛合レール部
３３  第１噛合レール開閉治具
３４  第２噛合レール開閉治具
３５  帯状膜
３６  密着接着剤（密着接合手段）
３７  切込み
３８  資機材の出入れ用の袋
Ｘ    スライド方向
【図１】
2010156190.tif 000003
【図２】
2010156190.tif 000004
【図３】
2010156190.tif 000005
【図４】
2010156190.tif 000006
【図５】
2010156190.tif 000007
【図６】
2010156190.tif 000008
【図７】
2010156190.tif 000009
【図８】
2010156190.tif 000010
【図９】
2010156190.tif 000011
【図１０】
2010156190.tif 000012
【図１１】
2010156190.tif 000013
【図１２】
2010156190.tif 000014